(57)【特許請求の範囲】
【請求項１】
固定鉄心と可動鉄心とが対向配置されるソレノイドにおいて、
前記可動鉄心の固定鉄心との対向面にくま取りコイル収容部を設け、
当該ソレノイドをＡＣソレノイドとして使用する際には、前記可動鉄心の対向面と前記固定鉄心の対向面とを密着可能にする高さを有するＡＣ用くま取りコイルを前記くま取りコイル収容部に収容して構成され、一方、当該ソレノイドをＤＣソレノイドとして使用する際には、前記可動鉄心対向面と前記固定鉄心対向面との密着を阻止可能な、前記ＡＣ用くま取りコイルよりも大きな高さを有するＤＣ用くま取りコイルを前記くま取りコイル収容部に収容して構成される
ことを特徴とするソレノイド。
【請求項２】
固定鉄心と可動鉄心とが対向配置されるソレノイドにおいて、
前記固定鉄心の可動鉄心との対向面にくま取りコイル収容部を設け、
当該ソレノイドをＡＣソレノイドとして使用する際には、前記可動鉄心の対向面と前記固定鉄心の対向面とを密着可能にする高さを有するＡＣ用くま取りコイルを前記くま取りコイル収容部に収容して構成され、一方、当該ソレノイドをＤＣソレノイドとして使用する際には、前記可動鉄心対向面と前記固定鉄心対向面との密着を阻止可能な、前記ＡＣくま取りコイルよりも大きな高さを有するＤＣ用くま取りコイルを前記くま取りコイル収容部に収容して構成される
ことを特徴とするソレノイド。
【請求項３】
固定鉄心と可動鉄心とが対向配置されるソレノイドにおいて、
前記可動鉄心の一方の端面にくま取りコイル収容部を設け、
当該ソレノイドをＡＣソレノイドとして使用する際には、前記くま取りコイル収容部にくま取りコイルを収容し前記可動鉄心の前記一方の端面をＡＣ用固定鉄心の対向面に対向させて構成され、一方、当該ソレノイドをＤＣソレノイドとして使用する際には、前記くま取りコイル収容部にくま取りコイルを収容させないで前記可動鉄心の他方の端面をＤＣ用固定鉄心の対向面と対向させて構成される
ことを特徴とするソレノイド。
【発明の詳細な説明】
【０００１】
【発明の属する技術分野】
本発明は、バルブ本体に装着されバルブ本体と共に電磁弁を構成するソレノイド、特に、ソレノイドの可動鉄心及び固定鉄心の構造に関する。
【０００２】
【従来の技術】
一般に、油圧回路等の構成要素となる電磁弁は、油流路等を開閉するスプールが内蔵されたバルブ本体に、上記スプールを作動する同一構造からなる左右一対のソレノイド（電磁石装置ともいう。）を装着して構成される。
【０００３】
そして、ソレノイドには、使用電源に応じてＡＣソレノイドとＤＣソレノイドの二種類があり、ＡＣソレノイドには可動鉄心の振動を防止するという特有の課題があり、一方、ＤＣソレノイドには残留磁気を除去するという特有の課題があるため、可動鉄心及び固定鉄心は、それぞれＡＣソレノイド用とＤＣソレノイド用とで互いに異なる構造のものとなっていた。
【０００４】
【発明が解決しようとする課題】
本発明は、上記の点にかんがみ、少なくとも可動鉄心についてＡＣソレノイド、ＤＣソレノイドのいずれにおいても共通して使用可能とし、部品の共通化を図ることを目的としてなされたものである。
【０００５】
【課題を解決するための手段】
本発明の第１のソレノイドは、固定鉄心と可動鉄心とが対向配置されるソレノイドにおいて、前記可動鉄心の固定鉄心との対向面にくま取りコイル収容部を設け、当該ソレノイドをＡＣソレノイドとして使用する際には、前記可動鉄心の対向面と前記固定鉄心の対向面とを密着可能にする高さを有するＡＣ用くま取りコイルを前記くま取りコイル収容部に収容して構成され、一方、当該ソレノイドをＤＣソレノイドとして使用する際には、前記可動鉄心対向面と前記固定鉄心対向面との密着を阻止可能な、前記ＡＣくま取りコイルよりも大きな高さを有するＤＣ用くま取りコイルを前記くま取りコイル収容部に収容して構成されることを特徴とする。
【０００６】
また、本発明の第２のソレノイドは、固定鉄心と可動鉄心とが対向配置されるソレノイドにおいて、前記固定鉄心の可動鉄心との対向面にくま取りコイル収容部を設け、当該ソレノイドをＡＣソレノイドとして使用する際には、前記可動鉄心の対向面と前記固定鉄心の対向面とを密着可能にする高さを有するＡＣ用くま取りコイルを前記くま取りコイル収容部に収容して構成され、一方、当該ソレノイドをＤＣソレノイドとして使用する際には、前記可動鉄心対向面と前記固定鉄心対向面との密着を阻止可能な、前記ＡＣ用くま取りコイルよりも大きな高さを有するＤＣ用くま取りコイルを前記くま取りコイル収容部に収容して構成されることを特徴とする。
【０００７】
また、本発明の第３のソレノイドは、固定鉄心と可動鉄心とが対向配置されるソレノイドにおいて、前記可動鉄心の一方の端面にくま取りコイル収容部を設け、当該ソレノイドをＡＣソレノイドとして使用する際には、前記くま取りコイル収容部にくま取りコイルを収容し前記可動鉄心の前記一方の端面をＡＣ用固定鉄心の対向面に対向させて構成され、一方、当該ソレノイドをＤＣソレノイドとして使用する際には、前記くま取りコイル収容部にくま取りコイルを収容させないで前記可動鉄心の他方の端面をＤＣ用固定鉄心の対向面と対向させて構成されることを特徴とする。
【０００８】
【発明の作用効果】
本発明の第１、第２のソレノイドは、可動鉄心の対向面又は固定鉄心の対向面にくま取りコイル収容部を設け、当該ソレノイドをＡＣソレノイドとして使用する際には、可動鉄心対向面と固定鉄心対向面とを密着可能にする高さを有するＡＣ用くま取りコイルをくま取りコイル収容部に収容して構成され、一方、当該ソレノイドをＤＣソレノイドとして使用する際には、可動鉄心対向面と固定鉄心対向面との密着を阻止可能な、上記ＡＣ用くま取りコイルよりも大きな高さを有するＤＣ用くま取りコイルをくま取りコイル収容部に収容して構成されることを特徴とする。
【０００９】
当該ソレノイドをＡＣソレノイドとして使用した場合には、ＡＣ用くま取りコイルにより可動鉄心の振動を防止でき、一方、ＤＣソレノイドとして使用した場合には、ＤＣ用くま取りコイルが可動鉄心と固定鉄心との密着を阻止するスぺーサーとして作用することから、残留磁気を低減させることができる。
【００１０】
したがって、本発明の第１、第２のソレノイドによると、可動鉄心及び固定鉄心をＡＣソレノイド、ＤＣソレノイドに共通して使用することができるようになる。
【００１１】
また、本発明の第３のソレノイドは、可動鉄心の一方の端面にくま取りコイル収容部を設け、当該ソレノイドをＡＣソレノイドとして使用する際には、くま取りコイル収容部にくま取りコイルを収容し可動鉄心の上記一方の端面をＡＣ用固定鉄心の対向面に対向させて構成され、一方、当該ソレノイドをＤＣソレノイドとして使用する際には、くま取りコイル収容部にくま取りコイルを収容させないで可動鉄心の他方の端面をＤＣ用固定鉄心の対向面と対向させて構成されることを特徴とする。
【００１２】
したがって、本発明の第３のソレノイドによると、可動鉄心をＡＣソレノイド、ＤＣソレノイドに共通して使用することができるようになる。
【００１３】
【発明の実施の形態】
以下、本発明の実施の形態を図面に基づいて説明する。
【００１４】
図１は、第１実施例によるソレノイド（本発明の第１のソレノイドに対応する。）の断面図を示す。このソレノイドは、油圧回路等の構成要素となる電磁弁に使用され、油流路等を開閉するスプールが内蔵されたバルブ本体に装着されるソレノイドであり、上記スプールを作動する同一構造からなる左右一対のソレノイド（電磁石装置ともいう。）の一方のソレノイドである。
【００１５】
そして、図１に示すソレノイドは、後に詳述するように、ＡＣソレノイド及びＤＣソレノイドとして共用できるソレノイドである。
【００１６】
第１実施例のソレノイド１は、油浸型の電磁弁等に広く使用されているソレノイドである。このソレノイド１は、コイルアッシー２とチューブアッシー３とナット（固定手段）４とを備える。
【００１７】
コイルアッシー２は、樹脂製ボビン２１と、このボビン２１に巻回されたソレノイドコイル２２と、ソレノイドコイル２２が励磁されたとき図示破線矢印で示す（周知のようにＡＣソレノイドとして使用する場合には両方向の破線矢印、ＤＣソレノイドとして使用する場合には一方向の破線矢印で示される。）磁気回路ＭＣの一部を形成するドーナツ板状の複数のヨーク２３と、同じく磁気回路ＭＣの一部を形成する中空円筒状の磁性体２４と、ソレノイドコイル２２に外部から電流を取り入れるためのターミナルピン２５とを備え、これらの部品２１〜２５を金型にセットして樹脂材料を注入することにより、樹脂ケース２６内に上記各部品２１〜２５がモールドされて一体に形成されている。
【００１８】
チューブアッシー３は、コイルアッシー２のボビン２１の中空部に挿入されている。チューブアッシー３は、図示しないバルブ本体に形成された雌ねじにねじ込まれる雄ねじ３１ａを有する固定鉄心３１と、ソレノイドコイル２２の励磁時に固定鉄心３１から磁気吸引力を受ける可動鉄心（プランジャー）３２と、一端が固定鉄心３１に溶着され他端がストッパー３４に溶着され、可動鉄心３２を軸線方向に摺動可能に収容した非磁性体からなるパイプ３３と、可動鉄心３２の図１における上端位置を規制するストッパー３４とから一体に形成されている。ストッパー３４の貫通孔には、シール性を確保しながら手動操作ピン３９が摺動可能に挿入されている。手動操作ピン３９は、外部からの操作により可動鉄心３２及びプッシュピン３５を介してバルブ本体内のスプール（図示せず）を手動で作動させるためのものである。
【００１９】
可動鉄心３２の固定鉄心３１との対向面３２ａには、くま取りコイル３２ｃ又は３２ｄが収容されるくま取りコイル収容部３２ｂが形成されている。このくま取りコイル収容部３２ｂに収容されるくま取りコイルは、当該ソレノイド１をＡＣソレノイドとして使用する際には、図２に示すように、可動鉄心対向面３２ａと固定鉄心３１の対向面３１ｃとを密着可能にする高さを有するＡＣ用くま取りコイル３２ｃによって構成され、一方、当該ソレノイド１をＤＣソレノイドとして使用する際には、図３に示すように、可動鉄心対向面３２ａと固定鉄心対向面３１ｃとの密着を阻止可能な、上記ＡＣ用くま取りコイル３２ｃよりも大きな高さを有するＤＣ用くま取りコイル３２ｄによって構成される。
【００２０】
ナット（固定手段）４は、チューブアッシー３のストッパー３４の雄ねじ３４ａにねじ込まれる樹脂ナットであり、チューブアッシー３とコイルアッシー２とを一体化させてコイルアッシー２をバルブ本体に固定させるために用いられる。すなわち、バルブ本体へのコイルアッシー２の固定方法は、チューブアッシー３の固定鉄心３１の雄ねじ３１ａをバルブ本体の雌ねじにねじ込み、チューブアッシー３の外周面にコイルアッシー２を嵌め込んだ状態で、チューブアッシー３のストッパー３４の雄ねじ３４ａにナット４をねじ込み、ナット４の端面でコイルアッシー２の樹脂ケース２６の端面を押し付けるようにする。
【００２１】
なお、可動鉄心３２の下端面にはプッシュピン３５の上端面が当接しており、このプッシュピン３５は、固定鉄心３１の上下方向の貫通孔３１ｂを通ってバルブ本体のスプール（図示せず）に当接している。また、ソレノイドコイル２２の消磁時かつ他方のソレノイド（バルブ本体を挟んで図４図示のソレノイドとは反対側に位置し、図４図示のソレノイドと同一構造を有する）のソレノイドコイルの励磁時には、スプール（図示せず）がスプリング（図示せず）の弾性力に抗してプッシュピン３５を押し、可動鉄心３２は固定鉄心３１から離隔される。
【００２２】
以上説明したように、第１実施例のソレノイド１（本発明の第１のソレノイドに対応する。）は、可動鉄心３２の対向面３２ａにくま取りコイル収容部３２ｂを設け、当該ソレノイド１をＡＣソレノイドとして使用する際には、可動鉄心対向面３２ａと固定鉄心対向面３１ｃとを密着可能にする高さを有するＡＣ用くま取りコイル３２ｃをくま取りコイル収容部３２ｂに収容して構成され、一方、当該ソレノイド１をＤＣソレノイドとして使用する際には、可動鉄心対向面３２ａと固定鉄心対向面３１ｃとの密着を阻止可能な、上記ＡＣ用くま取りコイル３２ｃよりも大きな高さを有するＤＣ用くま取りコイル３２ｄをくま取りコイル収容部３２ｂに収容して構成されることを特徴とする。
【００２３】
そして、当該ソレノイド１をＡＣソレノイドとして使用した場合には、ＡＣ用くま取りコイル３２ｃにより可動鉄心３２の振動を防止でき、一方、ＤＣソレノイドとして使用した場合には、ＤＣ用くま取りコイル３２ｄが可動鉄心３２と固定鉄心３１との密着を阻止するスぺーサーとして作用することから、残留磁気を低減させることができる。
【００２４】
したがって、第１実施例のソレノイド１によると、可動鉄心３２及び固定鉄心３１をＡＣソレノイド、ＤＣソレノイドに共通して使用することができるようになる。
【００２５】
なお、くま取りコイル収容部３２ｂが形成される位置は、図１〜図３に示したような可動鉄心対向面３２ａにおける平面部位に限定されるものではなく、図４に示すように、可動鉄心３２の突出部３２ｅの先端コーナー部位としてもよい。
【００２６】
図５は、第２実施例によるソレノイド（本発明の第２のソレノイドに対応する。）における可動鉄心及び固定鉄心の構成を示している。なお、その他の構成は、第１実施例と同様である。
【００２７】
図５において、固定鉄心３１の対向面３１ｃには、くま取りコイル収容部３１ｄが形成されている。そして、当該ソレノイドをＡＣソレノイドとして使用する際には、可動鉄心３２の対向面３２ａと固定鉄心対向面３１ｃとを密着可能にする高さを有するＡＣ用くま取りコイル３１ｅをくま取りコイル収容部３１ｄに収容して構成され、一方、当該ソレノイドをＤＣソレノイドとして使用する際には、可動鉄心対向面３２ａと固定鉄心対向面３１ｃとの密着を阻止可能な、ＡＣ用くま取りコイル３１ｅよりも大きな高さを有するＤＣ用くま取りコイル３１ｆをくま取りコイル収容部３１ｄに収容して構成される。
【００２８】
この第２実施例のソレノイドによっても、第１実施例と同様、当該ソレノイド１をＡＣソレノイドとして使用した場合には、ＡＣ用くま取りコイル３１ｅにより可動鉄心３２の振動を防止でき、一方、ＤＣソレノイドとして使用した場合には、ＤＣ用くま取りコイル３１ｆが可動鉄心３２と固定鉄心３１との密着を阻止するスぺーサーとして作用することから、残留磁気を低減させることができ、可動鉄心３２及び固定鉄心３１をＡＣソレノイド、ＤＣソレノイドに共通して使用することができるようになる。
【００２９】
図６及び図７は、第３実施例によるソレノイド（本発明の第３のソレノイドに対応する。）における可動鉄心及び固定鉄心の構成を示し、図６は、当該ソレノイドをＡＣソレノイドとして使用する場合に対応し、一方、図７は、当該ソレノイドをＤＣソレノイドとして使用する場合に対応している。なお、その他の構成は、第１実施例と同様である。
【００３０】
図６及び図７において、可動鉄心３２の一方の端面３２ｆには、くま取りコイル収容部３２ｇが形成されている。そして、当該ソレノイドをＡＣソレノイドとして使用する際には、図６に示すように、くま取りコイル収容部３２ｇにくま取りコイル３２ｈを収容し可動鉄心３２の一方の端面３２ｆをＡＣ用固定鉄心３１Ａの対向面３１ｇに対向させて構成され、一方、当該ソレノイドをＤＣソレノイドとして使用する際には、図７に示すように、くま取りコイル収容部３２ｇにくま取りコイル３２ｈを収容させないで可動鉄心３２の他方の端面３２ｉをＤＣ用固定鉄心３１Ｂの対向面３１ｈと対向させて構成される。ここで、ＤＣ用固定鉄心３１Ｂの端面３１ｈには、可動鉄心３２の端面３２ｉと固定鉄心３１の端面３１ｈとの密着を阻止し、残留磁気を低減させるためにスぺーサ３１ｉが固着されている。
【００３１】
したがって、第３実施例のソレノイド（本発明の第３のソレノイドに対応する。）によると、可動鉄心３２をＡＣソレノイド、ＤＣソレノイドに共通して使用することができるようになる。
【図面の簡単な説明】
【図１】第１実施例によるソレノイドの断面図である。
【図２】同ソレノイドをＡＣソレノイドとして使用した場合の可動鉄心及び固定鉄心の構成図である。
【図３】同ソレノイドをＤＣソレノイドとして使用した場合の可動鉄心及び固定鉄心の構成図である。
【図４】第１実施例におけるくま取りコイル収容部の形成位置の変形例を示す断面図である。
【図５】第２実施例によるソレノイドにおける可動鉄心及び固定鉄心の構成図である。
【図６】第３実施例によるソレノイドをＡＣソレノイドとして使用した場合の可動鉄心及び固定鉄心の構成図である。
【図７】同ソレノイドをＤＣソレノイドとして使用した場合の可動鉄心及び固定鉄心の構成図である。
【符号の説明】
３１    固定鉄心
３１ｃ    対向面
３１ｄ    くま取りコイル収容部
３１ｅ    ＡＣ用くま取りコイル
３１ｆ    ＤＣ用くま取りコイル
３１Ａ    ＡＣ用固定鉄心
３１ｇ    対向面
３１Ｂ    ＤＣ用固定鉄心
３１ｈ    対向面
３２    可動鉄心
３２ａ    対向面
３２ｂ    くま取りコイル収容部
３２ｃ    ＡＣ用くま取りコイル
３２ｄ    ＤＣ用くま取りコイル
３２ｆ    一方の端面
３２ｇ    くま取りコイル収容部
３２ｈ    くま取りコイル
３２ｉ    他方の端面
【図１】
0003726202.tif 000002
【図２】
0003726202.tif 000003
【図３】
0003726202.tif 000004
【図４】
0003726202.tif 000005
【図５】
0003726202.tif 000006
【図６】
0003726202.tif 000007
【図７】
0003726202.tif 000008